(57)【特許請求の範囲】
【請求項１】
コネクタに組み付けされ、前記コネクタから引き出された電線を被う電線保護カバーであって、
前記電線が収容され、且つ、電線配策方向に沿って開口された電線収容路を有するカバー本体と、前記カバー本体より前記電線収容路の開口を狭める方向に向かって突出され、前記電線収容路の内側への撓み変形によって前記電線の挿入を許容すると共に、前記電線収容路に収容された前記電線の外側への移動を阻止する一対の電線仮保持片とを備え、
一対の前記電線仮保持片は、先端側に係止部をそれぞれ有し、一対の前記係止部は、一対の前記電線仮保持片の撓み変形前の状態では、互いに係止する位置に位置して前記電線収容路をその電線配策方向に沿って完全に閉じ、
一対の前記電線仮保持片は、前記電線収容路から外側への撓み変形が互いに係止する位置に位置する双方の前記係止部によって阻止されることを特徴とする電線保護カバー。
【請求項２】
請求項１に記載の電線保護カバーであって、
前記電線仮保持片は、前記電線収容路の内側に入り込む方向に傾斜していることを特徴とする電線保護カバー。
【請求項３】
請求項１又は請求項２のいずれかに記載の電線保護カバーであって、
前記電線仮保持片は、前記カバー本体との連結箇所の外面がアール面であることを特徴とする電線保護カバー。
【請求項４】
請求項１〜請求項３のいずれかに記載の電線保護カバーであって、
前記電線仮保持片は、電線配策方向の端部が先端に向かって徐々に開口を広げるテーパ面であることを特徴とする電線保護カバー。
【発明の詳細な説明】
【技術分野】
【０００１】
本発明は、コネクタに組み付けされ、コネクタから引き出された電線を被う電線保護カバーに関する。
【背景技術】
【０００２】
従来より種々の電線保護カバーが提案されている（特許文献１、２参照）。電線保護カバーの中には、コネクタに組み付けされ、コネクタより引き出された電線を被うものもある（特許文献３参照）。かかる電線保護カバーの一従来例が図１３〜図１７に示されている。
【０００３】
図１３〜図１７において、電線保護カバー１００が組み付けされるコネクタ１１０は、コネクタハウジング１１１とこのコネクタハウジング１１１内に収容された複数の端子１１２とを備えている。各端子１１２には、電線Ｗがそれぞれ接続されている。これら電線Ｗがコネクタハウジング１１１の後面より引き出されている。
【０００４】
電線保護カバー１００は、コネクタハウジング１１１の後面側に組み付けされる。電線保護カバー１００は、コネクタハウジング１１１の後面を被い、且つ、電線配策方向に延びるカバー本体１０１と、カバー本体１０１の一端側に設けられたコネクタ組付部１０２とを有する。カバー本体１０１は、大略半筒形状であり、その内部に電線収容路１０４が形成されている。電線収容路１０４は、電線配策方向に沿って開口部１０４ａを有する。開口部１０４ａの開口寸法Ｄは、電線収容路１０４の最大幅と同程度に設定されている。つまり、束とされた電線Ｗの幅より広い。
【０００５】
コネクタ１１０への電線保護カバー１００の組み付けは、電線保護カバー１００の電線収容路１０４内に開口部１０４ａより電線Ｗを挿入する。電線Ｗを収容した電線保護カバー１００のコネクタ組付部１０２をコネクタハウジング１１１の後面側に嵌合すれば、組み付けが完了する。
【０００６】
前記従来例の電線保護カバー１００では、図１７に示すように、電線収容路１０４の開口部１０４ａの開口寸法Ｄが電線Ｗの幅より大きいため、容易に電線Ｗを挿入できる。
【先行技術文献】
【特許文献】
【０００７】
【特許文献１】特開昭６３−５１５１８号公報
【特許文献２】特開平８−１８２１６３号公報
【特許文献３】特開２００５−２６０４８号公報
【発明の概要】
【発明が解決しようとする課題】
【０００８】
しかしながら、前記従来の電線保護カバー１００では、図１７に示すように、電線収容路１０４の開口部１０４ａの開口寸法Ｄが束とされた電線Ｗの幅より広いため、組み付け作業過程で電線保護カバー１００が電線Ｗに対して容易に脱落する。そのため、電線保護カバー１００の組み付け作業性が悪いという問題があった。
【０００９】
そこで、本発明は、前記した課題を解決すべくなされたものであり、コネクタへの組み付け作業性が良い電線保護カバーを提供することを目的とする。
【課題を解決するための手段】
【００１０】
本発明は、コネクタに組み付けされ、前記コネクタから引き出された電線を被う電線保護カバーであって、前記電線が収容され、且つ、電線配策方向に沿って開口された電線収容路を有するカバー本体と、前記カバー本体より前記電線収容路の開口を狭める方向に向かって突出され、前記電線収容路の内側への撓み変形によって前記電線の挿入を許容すると共に、前記電線収容路に収容された前記電線の外側への移動を阻止する一対の電線仮保持片とを備え、一対の前記電線仮保持片は、先端側に係止部をそれぞれ有し、一対の前記係止部は、一対の前記電線仮保持片の撓み変形前の状態では、互いに係止する位置に位置して前記電線収容路をその電線配策方向に沿って完全に閉じ、一対の前記電線仮保持片は、前記電線収容路から外側への撓み変形が互いに係止する位置に位置する双方の前記係止部によって阻止されることを特徴とする電線保護カバーである。
【００１１】
前記電線仮保持片は、前記電線収容路の内側に入り込む方向に傾斜していることが好ましい。前記電線仮保持片は、前記カバー本体との連結箇所の外面がアール面であることが好ましい。前記電線仮保持片は、電線配策方向の端部が先端に向かって徐々に開口を広げるテーパ面であることが好ましい。
【発明の効果】
【００１２】
本発明によれば、電線を電線収容路に収容するべく電線仮保持片を押圧すると、電線仮保持片が電線収容路の内側に向かって撓み変形し、電線を電線収容路に収容することができ。電線収容路に電線が収容されると、電線仮保持片が復帰変形によって元の位置に戻り、電線保護カバーが電線に仮係止されるため、電線保護カバーが電線より容易に脱落しない。従って、コネクタへの組み付け作業性が良い。
【図面の簡単な説明】
【００１３】
【図１】本発明の第１実施形態を示し、組み付け前の電線保護カバーとコネクタの斜視図である。
【図２】本発明の第１実施形態を示し、組み付け状態の電線保護カバーとコネクタの断面図である。
【図３】本発明の第１実施形態を示し、コネクタの断面図である。
【図４】本発明の第１実施形態を示し、電線が電線保護カバー内に収容された状態を示す要部斜視図である。
【図５】本発明の第１実施形態を示し、電線保護カバーの斜視図である。
【図６】本発明の第１実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図７】本発明の第２実施形態を示し、電線保護カバーの斜視図である。
【図８】本発明の第２実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図９】本発明の第３実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図１０】本発明の第４実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図１１】本発明の第５実施形態を示し、電線保護カバーの斜視図である。
【図１２】本発明の第５実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図１３】従来例を示し、組み付け前の電線保護カバーとコネクタの斜視図である。
【図１４】従来例を示し、組み付け状態の電線保護カバーとコネクタの斜視図である。
【図１５】従来例を示し、組み付け状態の電線保護カバーとコネクタの断面図である。
【図１６】従来例を示し、コネクタの断面図である。
【図１７】従来例を示し、電線保護カバー内から電線が容易に外れることを説明する側面図である。
【発明を実施するための形態】
【００１４】
以下、本発明の実施形態を図面に基づいて説明する。
【００１５】
（第１実施形態）
図１〜図６は本発明の第１実施形態を示す。図１〜図５において、電線保護カバー１が組み付けされるコネクタ１０は、コネクタハウジング１１と、このコネクタハウジング１１内に収容された複数の端子１２とを備えている。コネクタハウジング１１の前面には、相手コネクタ（図示せず）の嵌合口１３が開口されている。各端子１２は、嵌合口１３に臨むようにしてコネクタハウジング１１内に収容されている。各端子１２には電線Ｗの端部がそれぞれ接続されている。コネクタハウジング１１の後面側は、電線保護カバー１のコネクタ組付部３が嵌合可能に形成されている。この嵌合可能に形成された箇所には、係止爪１４が複数箇所に設けられている。複数の電線Ｗは、コネクタハウジング１１の後面側から引き出されている。コネクタハウジング１１より引き出された複数の電線Ｗには、拘束テープ１５が巻き付けられ、束ねられている。説明の便宜上、束ねられた複数の電線Ｗを単に電線Ｗとして以下説明する。
【００１６】
電線保護カバー１は、コネクタハウジング１１の後面側に組み付けされる。電線保護カバー１は、コネクタハウジング１１の後面を被い、且つ、電線配策方向に延びるカバー本体２と、カバー本体２の一端側に設けられたコネクタ組付部３とを有する。
【００１７】
カバー本体２は、大略半筒形状である。カバー本体２の内部には、電線配策方向に沿って開口する電線収容路４が形成されている。カバー本体２には、左右一対の電線仮保持片５が設けられている。
【００１８】
一対の電線仮保持片５は、電線収容路４の開口を狭める方向に突出されている。これにより、電線収容路４の開口部４ａの寸法Ｄ１は、収容される電線Ｗの幅より小さく設定されている。一対の電線仮保持片５は、電線収容路４の内側に入り込む方向に傾斜している。従って、各電線仮保持片５の根本から先端に向かって徐々に電線収容路４の内側に入り込む位置とされ、電線Ｗを電線収容路４の開口部４ａに誘導するようになっている。
【００１９】
一対の電線仮保持片５は、電線収容路４の内側への撓み変形によって電線Ｗの挿入を許容すると共に、電線収容路４に収容された電線Ｗの外側への移動を阻止する。
【００２０】
各電線仮保持片５は、カバー本体２との連結箇所の外面がアール面５ａに形成されている。各電線仮保持片５は、電線配策方向の一方の端部が先端に向かって徐々に開口部４ａを広げるテーパ面５ｂに形成されている。
【００２１】
コネクタ組付部３には、係止孔６が複数箇所に設けられている。
【００２２】
次に、電線保護カバー１のコネクタ１０への組み付け作業を簡単に説明する。図６（ａ)に示すように、電線Ｗを開口部４ａより電線収容路４に挿入する。すると、図６（ｂ）に示すように、電線Ｗが一対の電線仮保持片５に当接する。この状態より更に電線Ｗを電線収容路４に挿入するべく押圧すると、一対の電線仮保持片５が電線収容路４の内側に向かって撓み変形し、電線Ｗが電線収容路４に収容される。電線収容路４に電線Ｗが収容されると、一対の電線仮保持片５が復帰変形して元の位置に戻る。これにより、一対の電線仮保持片５の間の開口部４ａの寸法Ｄ１は、電線Ｗの幅より小さくなる。最後に、コネクタ組付部３をコネクタハウジング１１の後面側に位置合わせして嵌合する。この嵌合によって複数の係止孔６と係止爪１４がそれぞれ係止される。これで、組み付けが完了する。
【００２３】
この組み付け過程にあって、電線収容路４に電線Ｗが収容されると、図６（ｃ）に示すように、一対の電線仮保持片５の間の開口部４ａの寸法Ｄ１が電線Ｗの幅より小さいため、電線保護カバー１が電線Ｗに仮係止され、電線保護カバー１が電線Ｗより容易に脱落しない。従って、コネクタ１０への組み付け作業性が良い。
【００２４】
電線仮保持片５は、カバー本体２の左右に一対設けられている。従って、電線Ｗの挿入位置が適正な位置より多少左右にずれてもいずれか一方の電線仮保持片５に突き当たり、撓み変形することによって電線Ｗの挿入が可能である。
【００２５】
一対の電線仮保持片５は、電線収容路４の内側に入り込む方向に傾斜している。従って、電線Ｗを電線保護カバー１内に挿入する際に、電線Ｗの挿入位置が開口部４ａより多少ずれても各電線仮保持片５によって開口部４ａの位置に誘導されるため、電線Ｗの挿入作業性が良い。
【００２６】
各電線仮保持片５は、カバー本体２との連結箇所の外面は、アール面５ａに形成されている。従って、電線Ｗを電線保護カバー１内に挿入する際に、電線Ｗがエッジに突き当たって損傷するような事態を極力回避できる。
【００２７】
各電線仮保持片５の電線配策方向の端部箇所は、中央より先端に向かって徐々に開口部４ａを広げる向きのテーパ面５ｂに形成されている。従って、電線仮保持片５の端部の開口部４ａより電線Ｗを先に挿入するようにすれば、電線Ｗを電線収容路４内に容易に誘い込むことができ、電線Ｗの挿入作業性が向上する。
【００２８】
電線保護カバー１は、一対の電線仮保持片５によって電線収容路４の開口部４ａの寸法Ｄ１が狭くなるため、防水性、防塵性が向上する。
【００２９】
（第２実施形態）
図７及び図８は、本発明の第２実施形態を示す。この第２実施形態は、前記第１実施形態と比較するに、電線仮保持片５Ａの構成が相違する。
【００３０】
つまり、図７及び図８に示すように、カバー本体２には、単一の電線仮保持片５Ａのみが設けられている。単一の電線仮保持片５Ａは、電線収容路４の開口を狭くする方向で、且つ、電線収容路４の内側に入り込む方向に傾斜して突出している。
【００３１】
他の構成は、前記第１実施形態と同様であるため、説明を省略する。又、図面の同一構成箇所には同一符号を付して明確化を図る。
【００３２】
電線保護カバー１のコネクタ１０への組み付け作業を簡単に説明する。図７（ａ)に示すように、電線Ｗを開口部４ａより電線収容路４に挿入する。すると、図７（ｂ）に示すように、電線Ｗが電線仮保持片５に当接する。この状態より更に電線Ｗを電線収容路４に挿入するべく押圧すると、電線仮保持片５Ａが電線収容路４の内側に向かって撓み変形し、電線Ｗが電線収容路４に収容される。電線収容路４に電線Ｗが収容されると、電線仮保持片５Ａが復帰変形して元の位置に戻る。これにより、電線仮保持片５Ａの間の開口部４ａの寸法Ｄ２は、電線Ｗの幅より小さくなる。最後に、コネクタ組付部３をコネクタハウジングの後面側に位置合わせして嵌合すれば、組み付けが完了する。
【００３３】
この組み付け過程にあって、電線収容路４に電線Ｗが収容されると、図７（ｃ）に示すように、単一の電線仮保持片５Ａとカバー本体２の間の開口部４ａの寸法Ｄ２が電線Ｗの幅より小さいため、電線保護カバー１が電線Ｗに仮係止され、電線保護カバー１が電線Ｗより容易に脱落しない。従って、コネクタへの組み付け作業性が良い。
【００３４】
（第３実施形態）
図９は、本発明の第３実施形態を示す。この第３実施形態は、前記第１実施形態と比較するに、一対の電線仮保持片５の一部構成のみが相違する。
【００３５】
つまり、図９に示すように、一対の電線仮保持片５は、電線収容路４内から外側への撓み変形過程では、互いに干渉してそれ以上の撓み変形が阻止されるよう設定されている。図９（ａ）、（ｃ）では、一対の電線仮保持片５の撓み変形時の先端軌跡Ｌ１，Ｌ２が示され、外側に向かっての撓み変形過程で双方の先端軌跡Ｌ１，Ｌ２が交差するよう設定されている。
【００３６】
他の構成は、前記第１実施形態と同様であるため、同一構成箇所には同一符号を付して説明を省略する。
【００３７】
この第３実施形態では、電線収容路４に収容された電線Ｗより一対の電線仮保持片５に対し外側に向かって撓み変形させるような外力が作用しても、図９（ｃ）に示すように、一対の電線仮保持片５が互いに干渉してそれ以上の撓み変形ができないため、電線保護カバー１が電線Ｗより離脱することがない。従って、コネクタへの組み付け作業性がより向上する。
【００３８】
（第４実施形態）
図１０は、本発明の第４実施形態を示す。この第４実施形態は、前記第２実施形態と比較するに、単一の電線仮保持片５Ａの一部構成のみが相違する。
【００３９】
つまり、図１０に示すように、単一の電線仮保持片５Ａは、電線収容路４内から外側への撓み変形過程では、カバー本体２の内面に突き合ってそれ以上の撓み変形が阻止されるよう設定されている。図１０（ａ）、（ｃ）では、単一の電線仮保持片５Ａの撓み変形時の先端軌跡Ｌが示され、外側に向かっての撓み変形過程で先端軌跡Ｌがカバー本体２の内面に交差するよう設定されている。
【００４０】
他の構成は、前記第１実施形態と同様であるため、同一構成箇所には同一符号を付して説明を省略する。
【００４１】
この第４実施形態では、電線収容路４に収容された電線Ｗより単一の電線仮保持片５に対し外側に向かって撓み変形させるような外力が作用しても、図１０（ｃ）に示すように、単一の電線仮保持片５がカバー本体２に干渉してそれ以上の撓み変形ができないため、電線保護カバー１が電線Ｗより離脱することがない。従って、コネクタへの組み付け作業性がより向上する。
【００４２】
（第５実施形態）
図１１及び図１２は、本発明の第５実施形態を示す。この第５実施形態は、前記第１実施形態と比較するに、一対の電線仮保持片Ｂの一部構成のみが相違する。
【００４３】
つまり、図１１、図１２（ａ）に示すように、一対の電線仮保持片５Ｂは、その先端側に係止部７，８をそれぞれ有する。一対の係止部７，８は、一対の電線仮保持片５Ｂの撓み変形前の状態では、互いに係止する位置に配置されている。これにより、電線収容路４は、その電線配策方向に沿って完全に閉じられている。一対の係止部７，８は、一対の電線仮保持片５Ｂが電線収容路４の外側に移動するのを互いの係止によって阻止する。一対の係止部７，８は、一対の電線仮保持片５Ｂが電線収容路４の内側への移動では、係止状態を解除し、一対の電線仮保持片５Ｂ間を徐々に開口する。これにより、電線Ｗの挿入を許容する。
【００４４】
他の構成は、前記第１実施形態と同様であるため、同一構成箇所には同一符号を付して説明を省略する。
【００４５】
図１２（ａ)に示すように、電線Ｗを電線収容路４に挿入するべく一対の電線仮保持片５Ｂの先端位置を電線Ｗで外側より押圧する。すると、図１２（ｂ）に示すように、電線Ｗが一対の電線仮保持片５Ｂの先端箇所に当接する。この状態より更に電線Ｗを電線収容路４に挿入するべく押圧すると、一対の電線仮保持片５Ｂが電線収容路４の内側に向かって撓み変形し、電線Ｗが電線収容路４に収容される。電線収容路４に電線Ｗが収容されると、一対の電線仮保持片５Ｂが復帰変形して元の位置に戻る。これにより、一対の電線仮保持片５Ｂの間の開口が完全に閉じられる。最後に、コネクタ組付部をコネクタハウジングの後面側に位置合わせして嵌合する。この嵌合によって複数の係止孔と係止爪がそれぞれ係止される。これで、組み付けが完了する。
【００４６】
この組み付け過程にあって、電線収容路４に電線Ｗが収容されると、図１２（ｃ）に示すように、一対の電線仮保持片５Ｂによって開口が完全に閉じられているため、電線保護カバー１が電線Ｗに仮係止される。その上、電線収容路４に収容された電線Ｗより一対の電線仮保持片５Ｂに対し外側に向かって撓み変形させるような外力が作用しても、図１２（ｃ）に示すように、一対の電線仮保持片５Ｂの双方の係止部７，８が互いに係止する位置を維持し、一対の電線仮保持片５Ｂが外側への撓み変形ができないため、電線保護カバー１が電線Ｗより離脱することがない。従って、コネクタへの組み付け作業性がより向上する。
【００４７】
電線保護カバー１は、一対の電線仮保持片５Ｂによって電線収容路４の開口が完全に閉じられるため、防水性、防塵性が非常に良い。
【符号の説明】
【００４８】
１  電線保護カバー
２  カバー本体
４  電線収容路
５，５Ａ，５Ｂ  電線仮保持片
５ａ  アール面
５ｂ  テーパ面
７，８  係止部
１０  コネクタ
Ｗ  電線
【図１】
0005914160.tif 000002
【図２】
0005914160.tif 000003
【図３】
0005914160.tif 000004
【図４】
0005914160.tif 000005
【図５】
0005914160.tif 000006
【図６】
0005914160.tif 000007
【図７】
0005914160.tif 000008
【図８】
0005914160.tif 000009
【図９】
0005914160.tif 000010
【図１０】
0005914160.tif 000011
【図１１】
0005914160.tif 000012
【図１２】
0005914160.tif 000013
【図１３】
0005914160.tif 000014
【図１４】
0005914160.tif 000015
【図１５】
0005914160.tif 000016
【図１６】
0005914160.tif 000017
【図１７】
0005914160.tif 000018